(57)【要約】  【課題】  温度や湿度の変化による光学シートの伸縮にともなうしわの発生を確実に防止して、輝度の均一を保てるようにする。  【解決手段】  光源の前方に拡散板４を配置し拡散板４の前面に１以上の光学シート５を重ねて配置したバックライト装置において、光学シート５の全てまたは一部の上端を後方へ折曲して拡散板４の上端に係止して保持する。前記後方へ折曲された光学シート５の先端の全てまたは一部をさらに下方へ折曲して拡散板４背面上端に係止する。また、拡散板４の上端に係止された光学シート５の下端位置を、拡散板４の下端が載置された台である水平部７の上面よりも上位にする。さらに、拡散板４および光学シート５の外周縁の全てまたは適箇所の前方に微小隙間を介して押さえ部材であるところのスペーサー８，９を配設する。【選択図】  図１
2006196244.tif 000002
【特許請求の範囲】
【請求項１】
光源の前方に拡散板を配置し該拡散板の前面に１以上の光学シートを重ねて配置したバックライト装置において、
前記光学シートの全てまたは一部の上端を折曲して前記拡散板の上端に係止して保持したことを特徴とするバックライト装置。
【請求項２】
請求項１に記載のバックライト装置において、
前記折曲された光学シートの先端の全てまたは一部をさらに下方へ折曲して拡散板背面上端に係止したことを特徴とするバックライト装置。
【請求項３】
請求項１または２に記載のバックライト装置において、
前記拡散板の上端に係止された光学シートの下端位置を、拡散板の下端が載置された台の上面よりも上位にしたことを特徴とするバックライト装置。
【請求項４】
請求項１乃至３のいずれかに記載のバックライト装置において、
前記拡散板および光学シートの外周縁の全てまたは適箇所の前方に微小隙間を介して押さえ部材を配設したことを特徴とするバックライト装置。
【請求項５】
請求項４に記載のバックライト装置において、
前記押さえ部材は乳白色の半透明の樹脂により形成したことを特徴とするバックライト装置。
【発明の詳細な説明】
【技術分野】
【０００１】
本発明は、液晶テレビ等の光源として用いられるバックライト装置に関し、詳しくはバックライト装置を構成する光学シートにしわが発生しないように支持して均一な輝度が得られるようにしたバックライト装置に関する。
【背景技術】
【０００２】
従来、液晶テレビ等の液晶表示装置に用いられるバックライト装置は、光源である蛍光ランプの前方にアクリル板等からなる拡散板を配置しその前面にＩＴＯシート、拡散フィルム、プリズムシート、反射偏光フィルム等の光学シートが配置されている。これら拡散板、光学シートは互いに膨張率が異なる。そのため、バックライト装置が点灯される度に、常温から温度上昇を始めるにつれて互いに異なる伸び量で膨張する。このとき拡散板に光学シートが部分的あるいは全面で密着した状態にあると、互いの伸縮量が異なるため、光学シート側にリング状のしわが発生する。しわが発生すると、その前面の液晶パネルに陰が映り、輝度が不均一になるという問題が発生した。
【０００３】
その対策として従来は、バックライト装置の照射面が垂直に支持される場合は、拡散板の上端部が当接する反射板ベースプレートの当接面に複数のピンを突設して、上端に孔を形成した拡散板、各光学シートをそのピンに係止し、拡散板、光学シートをその自重で吊り下げた状態で保持していた。この状態では、光学シートに厚み方向に外力が加わらずに、光学シートは拡散板に対して密着することなく微小な隙間を介して自由に伸縮できるように保持されている。このように構成されたことで、比較的小型のサイズのバックライト装置の場合は目立つ大きさのしわを発生することなく保持できる。
【０００４】
しかし、バックライト装置のサイズが大きくなると、光学シートを拡散板に対して密着することなく保持することが困難となり、一部または全面で光学シートが拡散板に対して密着することになり、しわの発生を招くことになり、そのしわが目立つ大きさになると、前面の液晶パネルに陰が映ることがあった。その対策として、特許文献１に記載されるように、光学シートの端部の適箇所を押さえるようにしたものがある。
【特許文献１】特開平１１−２８１９６６号公報
【発明の開示】
【発明が解決しようとする課題】
【０００５】
このように、従来は光学シートに発生するしわを防ぐため、光学シートの縁の適箇所を押さえることが試みられており、中型サイズまでのバックライト装置では、それなりに効果が得られるが、バックライト装置がさらに大型になると、光学シートの伸びも比例して大きくなり、単に光学シートの縁の適箇所を押さえただけではしわの発生を完全に防ぐことができなかった。そこで本発明は、熱膨張による光学シートの伸び量が大きい大型サイズのバックライト装置であっても、光学シートのしわの発生を確実に防止することができて、輝度の均一を保てることのできるバックライト装置を提案することを目的とした。
【課題を解決するための手段】
【０００６】
上記課題を解決するために、本発明は、光源の前方に拡散板を配置し該拡散板の前面に１以上の光学シートを重ねて配置したバックライト装置において、前記光学シートの全てまたは一部の上端を折曲して前記拡散板の上端に係止して保持したことを特徴とする。ここで、前記折曲された光学シートの先端の全てまたは一部をさらに下方へ折曲して拡散板背面上端に係止することも可能である。また、前記拡散板の上端に係止された光学シートの下端位置を、拡散板の下端が載置された台の上面よりも上位にすることが好ましい。さらに、前記拡散板および光学シートの外周縁の全てまたは適箇所の前方に微小隙間を介して押さえ部材を配設することが好ましい。また、前記押さえ部材は乳白色の半透明の樹脂により形成することも可能である。
【発明の効果】
【０００７】
以上述べたように本発明によれば、光学シートの上端が折曲されて拡散板の上端に係止されることで、光学シートが懸垂され、温度、湿度が変化した場合にも、光学シートの伸縮が自在となり、しわの発生が解消されて輝度が均一に保たれる。
【発明を実施するための最良の形態】
【０００８】
以下、図に基づいて本発明の実施形態を説明する。
図１は本発明に係るバックライト装置の第１の実施形態を示す縦断面図であり、図２（ａ）はその正面図であり、図２（ｂ）は同じくその横断面図である。図１に示されるように、バックライト装置は、金属板からなる筐体１の上下の縁部分に形成されている垂直な当接面２，３に、前方から、拡散板４と３枚の光学シート５が順に重ねられている。このとき、拡散板４の重量は、当接面３の下端から前方へ突設されている水平部７に、下端が当接して支持されている。また、拡散板４の上端は、当接面２の上端から前方へ連設された水平部６との間に隙間が形成されている。
【０００９】
ここで、３枚の光学シート５は、予め、上端が後方へ９０度または９０度以上に折曲加工されている。この折曲加工は、加熱、加圧等による塑性変形であり、容易に元の直線状に戻らないようにしたものである。光学シート５は、その上端の折曲部が、拡散板４の上端に係止されることで支持される。このとき光学シート５の下端は、水平部７の面から離間している。さらに、光学シート５の上端と下端の前面には、断面矩形であって乳白色をした半透明樹脂材からなるスペーサー８，９が配設されている。スペーサー８，９と光学シート５との間には、０．２ｍｍ程度の微小な隙間が形成されるようにして、光学シート５の伸縮を妨げることがないようにしている。
【００１０】
スペーサー８，９の前面（図の左側）は、断面Ｌ字形をしたアングル１１，１２に接着され、アングル１１，１２は、筐体１の水平部６，７の外側面にビスにより固着されている。このアングル１１，１２は、図２に示されるように、筐体１の上辺と下辺の両端部を除く部分に配設されている。また、筐体１の右辺と左辺についても、図１の下部に示した構造と同じく、両端を除いた部分に、スペーサーとアングル１３，１４が配設されている。
【００１１】
このようにして、拡散板４はその下端が筐体１の下端の水平部７に支持されて、その拡散板４の上端に、光学シート５の上端の折曲部が係止されて支持され、さらに、拡散板４と光学シート５の上下左右の外周部が、前方へ飛び出さないように、スペーサー８，９等とアングル１１〜１４により、抱持されたことで、バックライト装置の点灯、消灯により温度、湿度が変動した場合、拡散板４と光学シート５は、拘束されることなく、自由に伸縮し、輝度むらの原因となるしわが発生しなくなる。なお、図１および図２では、図示されていないが、筐体１の内部には光源となる蛍光管が水平方向に適間隔で配設されている。
【００１２】
図３は本発明に係るバックライト装置の第２の実施形態を示す縦断面図である。図３に示されるように、バックライト装置は、金属板からなる筐体２１の上下の縁部分に形成されている垂直な当接面２２，２３に、前方から、拡散板２４と３枚の光学シート２５が順に重ねられている。このとき、拡散板２４の重量は、当接面２３の下端から前方へ突設されている水平部２７に、下端が当接して支持されている。また、拡散板２４の上端は、当接面２２の上端から前方へ連設された水平部２６との間に隙間が形成されている。
【００１３】
ここで、３枚の光学シート２５は、予め、上端が後方へ９０度または９０度以上に折曲加工され、さらに光学シート２５の中の最前の光学シート２５Ａの先端が下方へ９０度または９０度以上に折曲加工されている。これらの折曲加工は、加熱、加圧等による塑性変形であり、容易に元の直線状に戻らないようにしたものである。光学シート２５，２５Ａは、その上端の折曲部が、拡散板２４の上端に係止されることで支持される。このとき光学シート２５の下端は、水平部２７の面から離間している。さらに、光学シート２５の上端と下端の前面には、断面矩形であって乳白色をした半透明の樹脂材からなるスペーサー２８，２９が配設されている。スペーサー２８，２９と光学シート２５との間には、０．２ｍｍ程度の微小な隙間が形成されるようにして、光学シート２５の伸縮を妨げることがないようにしている。
【００１４】
スペーサー２８，２９の前面（図の左側）は、断面Ｌ字形をしたアングル３１，３２に接着され、アングル３１，３２は、筐体２１の水平部２６，２７の外側面にビスにより固着されている。このアングル３１，３２は、筐体２１の上辺と下辺の両端部を除く部分に配設されている。また、筐体２１の右辺と左辺についても、図３の下部に示した構造と同様に、両端を除いた部分に、スペーサーとアングルが配設されている。
【００１５】
このようにして、拡散板２４はその下端が筐体２１の下端の水平部２７に支持されて、その拡散板２４の上端に、光学シート２５の上端の折曲部が係止されて支持され、さらに、拡散板２４と光学シート２５の上下左右の外周部が、前方へ飛び出さないように、スペーサー２８，２９等とアングル３１，３２等により、抱持されたことで、バックライト装置の点灯、消灯により温度、湿度が変動した場合、拡散板２４と光学シート２５は、拘束されることなく、自由に伸縮し、輝度むらの原因となるしわが発生しなくなる。
【００１６】
特に、この第２の実施形態は、光学シート２５の中の最前の光学シート２５Ａを２箇所で折曲して断面略７字形に形成したことで、拡散板２４の上端への係合が確実となる。なお、図３では、図示されていないが、筐体２１の内部には光源となる蛍光管が水平方向に適間隔で配設されている。また、図３の実施形態では、光学シート２５の中の最前の光学シート２５Ａのみを２箇所で折曲しているが、全ての光学シート２５を２箇所で折曲することも可能である。
【産業上の利用可能性】
【００１７】
本発明は、液晶テレビ等の液晶表示装置に用いられるバックライト装置以外に、ディスプレィ装置等のバックライト装置にも利用可能である。
【図面の簡単な説明】
【００１８】
【図１】本発明に係るバックライト装置の第１の実施形態を示す縦断面図である。
【図２】図（ａ）は図１の正面図であり、図（ｂ）は同じくその横断面図である。
【図３】本発明に係るバックライト装置の第２の実施形態を示す縦断面図である。
【符号の説明】
【００１９】
１  筐体
２、３  当接面
４  拡散板
５  光学シート
６、７  水平部
８、９  スペーサー
１１〜１４  アングル
２１  筐体
２２、２３  当接面
２４  拡散板
２５、２５Ａ  光学シート
２６、２７  水平部
２８、２９  スペーサー
３１、３２  アングル
【図１】
2006196244.tif 000003
【図２】
2006196244.tif 000004
【図３】
2006196244.tif 000005